(57)【要約】【課題】  入力された文字の視認性を高めて、画面表示部を持たないリモコンを用いて遠隔操作により文字列を入力する場合であっても、離れた場所からその入力を行うことのできるリモコン対応形測定装置を実現する。【解決手段】  リモコンにより遠隔操作され、前記リモコンから入力された文字または記号を所定の表示領域に表示するリモコン対応形測定装置において、  前記文字または記号を前記所定の表示領域とは異なる領域で異なる態様により強調表示する表示用データの作成を行う入力文字表示用データ作成部を設けた構成とする。【選択図】                    図１
2005341457.tif 000002
【特許請求の範囲】
【請求項１】
リモコンにより遠隔操作され、前記リモコンから入力された文字または記号を所定の表示領域に表示するリモコン対応形測定装置において、
前記文字または記号を前記所定の表示領域とは異なる領域で異なる態様により強調表示する表示用データの作成を行う入力文字表示用データ作成部を設けたことを特徴とするリモコン対応形測定装置。
【請求項２】
前記入力文字表示用データ作成部は、前記所定の表示領域の文字または記号の表示に対して拡大表示および異なる色での表示の少なくともいずれか１つによる表示用データの作成を行うことを特徴とする請求項１に記載のリモコン対応形測定装置。
【請求項３】
前記入力文字表示用データ作成部は、入力された文字または記号の上書き表示をする表示用データの作成を行うことを特徴とする請求項１または請求項２に記載のリモコン対応形測定装置。
【発明の詳細な説明】
【技術分野】
【０００１】
本発明は、リモートコントロール端末から操作が行える測定装置に関し、詳しくは、リモコンにより設定された文字を離れた場所にいても確認可能にするための改良に関するものである。
【背景技術】
【０００２】
従来、同一機種のレコーダを複数台共通のパネルに取り付けて使用する場合であっても、それぞれのレコーダに対して所望の測定条件を設定しなければならない。このとき、それぞれの測定条件が異なる場合には１台ずつ設定することになるが、何台かは同一測定条件でよい場合もある。これについて、複数台の同一測定機器に対してリモートコントロール端末（以下、リモコンという。）により遠隔制御することが提案されている。（例えば特許文献１参照。）。
【０００３】
【特許文献１】特開平４−３５６８９１号公報
【０００４】
また、このような測定装置は、各種データを表示したり、保存したりする場合などに、それらのデータに対して名前を付けるため文字や記号などの入力機能を備えている。この文字等の入力もリモコンから行うことができる。このことを図を用いて説明する。
【０００５】
図３は従来のリモコン対応形測定装置の一例を示す構成図である。
図３において、リモート信号受信部１は、リモコンからの光信号（例えば赤外線）を受光部（図示せず）で電気信号に変換したリモート信号Ｓを受信する。
このリモート信号受信部１は、リモコンにおいてキー入力があったときのリモート信号Ｓをキーコードに変換し、キー処理部２にキーコードを送る。キー処理部２は、受け取ったキーコードが現在入力できるキーコードかどうか判断し、入力できるキーコードであると判断すると、設定処理部４にそのキーコードを送る。
【０００６】
設定処理部４は、送られたキーコードに合わせて文字（例えばアスキーコード）を設定し、表示用データ作成部３にその文字情報を送る。
表示用データ作成部３は、表示用データを作成する部分であり、送られた文字情報に対応する文字を表示するための表示用データを作成し、設定処理部４を介して表示処理部５に送る。表示処理部５は、表示器６のコントローラやドライバーであって、表示器６に表示用データを表示する。
【０００７】
図４は、従来のリモコン対応形測定装置の表示画面の一例を示した図である。
図４において、測定装置の文字入力モードが選択されると、表示画面７に文字列設定部８が表示される。その後、文字「Ａ」が入力されると、文字列設定部８の表示領域９に「Ａ」が表示される。
これら一連の文字入力作業は、測定装置本体に附属するキーやタッチパネルのような入力装置により直接測定装置に入力される場合と、リモコンにより入力される場合とがある。どちらの場合も同様の文字列設定部８が表示され、同様の表示領域９に入力文字が表示される。
【発明の開示】
【発明が解決しようとする課題】
【０００８】
このような従来のリモコン対応形測定装置では、画面表示部を持たないリモコン（例えばテレビを操作するリモコンのようなもの。）を利用して、遠隔操作により文字列を入力する場合、リモコンによるキー入力が、正しく行われたかどうか（意図している文字が入力されているかどうか）は、測定装置の表示画面の表示を見て確認しなければならない。このとき入力文字は表示領域９にのみ表示していたため、測定装置の近くであればよいが、離れた場所からでは文字が小さく、その文字を確認することが難しい。このため、リモコンを測定装置の近くで操作しなければならなくなり、遠隔操作というリモコンの利点を失うという問題があった。
【０００９】
本発明は、このような問題を解決しようとするものであり、入力された文字の視認性を高めて、画面表示部を持たないリモコンを用いて遠隔操作により文字列を入力する場合であっても、離れた場所からその入力を行うことのできるリモコン対応形測定装置を実現することを目的とする。
【課題を解決するための手段】
【００１０】
本発明は次の通りの構成になったリモコン対応形測定装置である。
【００１１】
（１）リモコンにより遠隔操作され、前記リモコンから入力された文字または記号を所定の表示領域に表示するリモコン対応形測定装置において、
前記文字または記号を前記所定の表示領域とは異なる領域で異なる態様により強調表示する表示用データの作成を行う入力文字表示用データ作成部を設けたことを特徴とするリモコン対応形測定装置。
【００１２】
（２）前記入力文字表示用データ作成部は、前記所定の表示領域の文字または記号の表示に対して拡大表示および異なる色での表示の少なくともいずれか１つによる表示用データの作成を行うことを特徴とする（１）に記載のリモコン対応形測定装置。
【００１３】
（３）前記入力文字表示用データ作成部は、入力された文字または記号の上書き表示をする表示用データの作成を行うことを特徴とする（１）または（２）に記載のリモコン対応形測定装置。
【発明の効果】
【００１４】
本発明によれば、以下のような効果がある。
【００１５】
請求項１および請求項２に記載の発明によれば、リモコンで入力された文字や記号の拡大表示や表示色を変えることにより、離れた場所からも確認がしやすくなる。これにより、従来は入力した文字等を確認するために測定装置の傍で使用しなければならなかったリモコンが、測定装置から離れた場所からでも使用できるようになり、遠隔から文字列設定が行えるというリモコンの利点を活かすことができる。
【００１６】
請求項３に記載の発明によれば、文字等が入力される度に拡大表示した文字等を上書きして表示することにより、限られた表示スペースを有効に使用してできるだけ大きく表示することができる。これにより、離れた所から入力された文字等を確認する上で視認性が向上する。
【発明を実施するための最良の形態】
【００１７】
以下図面を用いて本発明を詳細に説明する。図１は本発明のリモコン対応形測定装置の一実施例を示す構成図である。
【００１８】
図１において、前出の図と同一の構成要素は同一の符号を付し、その部分の説明は、省略する。
図１に記載の構成と前出の図３に記載の構成との相違点は、入力文字表示用データ作成部１１を設けた点である。
【００１９】
設定処理部１０は、キー処理部２から送られたキーコードに合わせて文字（例えばアスキーコード）を設定し、表示用データ作成部３および入力文字表示用データ作成部１１に設定した文字情報を送る。入力文字表示用データ作成部１１は、受け取った文字を表示用データ作成部３で作成した表示用データとは異なる場所に異なる態様で強調表示（例えば、文字を大きくしたり、表示色を変えたりする。）するための表示用データを作成する。表示用データ作成部３の表示用データおよび入力文字表示用データ作成部１１の表示用データは設定処理部１１を介して表示処理部１２に送られる。
【００２０】
表示処理部１２は、表示器１３のコントローラやドライバーであって、表示用データ作成部３で作成された表示用データと入力文字表示用データ作成部１１で作成された表示用データを表示器１３の同一画面に表示する。表示器１３は、例えばドットマトリクスの液晶表示器であり、リモート信号受信部１、キー処理部２、設定処理部１０、表示用データ作成部４、入力文字表示用データ作成部１１は例えばプロセッサやメモリなどにより構成される。
ここで、表示用データは、例えばラスタデータと呼ばれる表示画面の各ピクセル（画素）に対応する位置情報、輝度情報および色情報などの集合体である。
【００２１】
図２は、本発明のリモコン対応形測定装置の表示画面の一例を示した図である。
図２において、表示画面２０には、測定装置の文字入力モードが選択されると、文字列設定部２１が表示される。文字列設定部２１は表示領域２２を有し、文字「Ａ」が入力されると、この表示領域２２に「Ａ」が表示される。
【００２２】
また、表示画面２０には破線で囲まれた場所に別の表示領域２３が設けられ、この表示領域２３に拡大された「Ａ」が表示される。この表示領域２３は、表示画面２０の文字設定部２１と重ならない場所に設けるようにする。
【００２３】
表示領域２２には、文字が入力されるごとにその文字が連なって文字列として表示されていき、表示領域２３には、文字が入力されるごとに直前の表示文字を上書きして表示される。
【００２４】
なお、表示領域２３に表示される文字は、表示領域２２に表示される文字に対して拡大したものや表示色の変更したものの少なくともいずれか１つとする。
また、これら一連の文字入力作業は、測定装置本体に附属するキーやタッチパネルのような入力装置により直接測定装置に入力される場合と、リモコンにより入力される場合とがある。どちらの場合も同様の文字列設定部２１が表示され、表示領域２２および表示領域２３に入力文字が表示されるようにしてもよいし、リモコンによる操作のときにだけ表示領域２３にも文字を表示してもよい。
【００２５】
以上により、リモコンによりキー入力された文字を、文字列設定部に表示するだけでなく、表示画面の他のエリアに離れた場所からも確認がし易い態様で表示できる。
これにより、従来は入力した文字を確認するために測定装置の傍で使用しなければならなかったリモコンを、測定装置から離れた場所からでも使用できるようにし、遠隔から文字列設定が行えるようになる。
【００２６】
なお、本発明は、上記実施例に限定されることなく、その本質から逸脱しない範囲で更に多くの変更、変形をも含むものである。
【図面の簡単な説明】
【００２７】
【図１】本発明のリモコン対応形測定装置の一実施例を示す構成図である。
【図２】本発明のリモコン対応形測定装置の表示画面の一例を示した図である。
【図３】従来のリモコン対応形測定装置の一例を示す構成図である。
【図４】従来のリモコン対応形測定装置の表示画面の一例を示した図である。
【符号の説明】
【００２８】
１  リモート信号受信部
２  キー処理部
３  表示用データ作成部
１０  設定処理部
１１  入力文字表示用データ作成部
１２  表示処理部
１３  表示器
【図１】
2005341457.tif 000003
【図２】
2005341457.tif 000004
【図３】
2005341457.tif 000005
【図４】
2005341457.tif 000006